(57)【要約】ユーザ(1)が制御エンティティ(22)に登録されるように構成された通信システムにおける方法は、通信ネットワークへユーザが再登録することを要求するメッセージを通信システムからユーザ(1)へ送信する段階を含む。ユーザは、上記メッセージに応答して上記ネットワークに再登録させられる。
2004533165.tif 000002
【特許請求の範囲】
【請求項１】
ユーザが制御エンティティに登録されるように構成された通信システムにおける方法であって、
通信ネットワークへのユーザの再登録を要求しているメッセージを通信システムからユーザへ送信し、そして
上記メッセージに応答して上記ユーザを上記ネットワークに再登録させる、
という段階を備えた方法。
【請求項２】
上記制御エンティティは、上記メッセージを送信するように構成された請求項１に記載の方法。
【請求項３】
上記メッセージは、１つ以上の特定の状態の発生に応答して送信される請求項１又は２に記載の方法。
【請求項４】
上記特定の状態は、次の状態、即ちユーザの現在登録が所定時間内に終了する；システムにおける１つ以上のエラー状態；制御エンティティにおける１つ以上のエラー状態；及びシステムがユーザに不審を抱く；の１つ以上より成る請求項３に記載の方法。
【請求項５】
上記制御エンティティのエラー状態は、次の状態、即ち上記システムにおける混雑；上記システムにおける過負荷；の１つ以上より成る請求項４に記載の方法。
【請求項６】
上記ユーザは、再登録されたときに再認証される請求項１ないし５のいずれかに記載の方法。
【請求項７】
上記ユーザは、上記メッセージを供給するサービスに契約した場合だけ上記メッセージが送信される請求項１ないし６のいずれかに記載の方法。
【請求項８】
上記メッセージは、上記制御エンティティから中間の制御エンティティを経て上記ユーザへ送信される請求項１ないし７のいずれかに記載の方法。
【請求項９】
上記中間の制御エンティティは、プロキシーコール状態制御ファンクションである請求項８に記載の方法。
【請求項１０】
上記制御エンティティは、サービングコール状態制御ファンクションである請求項１ないし９のいずれかに記載の方法。
【請求項１１】
上記ユーザは、上記メッセージに応答して再登録要求を送信するように構成される請求項１ないし１０のいずれかに記載の方法。
【請求項１２】
ユーザが制御エンティティに登録されるように構成された通信システムにおける方法であって、
通信ネットワークへのユーザの再登録を要求しているメッセージを通信システムからユーザへ送信し、そして
上記メッセージに応答して上記ユーザを上記ネットワークに再登録させ、この再登録手順で上記ユーザを認証する、
という段階を備えた方法。
【請求項１３】
ユーザが制御エンティティに登録されるように構成された通信システムにおける方法であって、
通信ネットワークとの手順を開始することを要求しているメッセージを通信システムからユーザへ送信し、上記手順は、上記ユーザの再認証を生じさせ、
上記メッセージに応答して上記ユーザに上記手順を開始させ、そして
上記ユーザを再認証させる、
という段階を備えた方法。
【請求項１４】
上記制御エンティティは、上記メッセージを送信するように構成される請求項１２又は１３に記載の方法。
【請求項１５】
上記メッセージは、１つ以上の特定の状態の発生に応答して送信される請求項１２、１３又は１４に記載の方法。
【請求項１６】
上記特定の状態は、次の状態、即ちユーザの現在登録が所定時間内に終了する；システムにおける１つ以上のエラー状態；制御エンティティにおける１つ以上のエラー状態；及びシステムがユーザに不審を抱く；の１つ以上より成る請求項１５に記載の方法。
【請求項１７】
上記制御エンティティのエラー状態は、次の状態、即ち上記システムにおける混雑；上記システムにおける過負荷；の１つ以上より成る請求項１６に記載の方法。
【請求項１８】
上記ユーザは、上記メッセージを供給するサービスに契約した場合だけ上記メッセージが送信される請求項１２ないし１７のいずれかに記載の方法。
【請求項１９】
上記メッセージは、上記制御エンティティから中間の制御エンティティを経て上記ユーザへ送信される請求項１２ないし１８のいずれかに記載の方法。
【請求項２０】
上記中間の制御エンティティは、プロキシーコール状態制御ファンクションである請求項１９に記載の方法。
【請求項２１】
上記制御エンティティは、サービングコール状態制御ファンクションである請求項１２ないし２０のいずれかに記載の方法。
【請求項２２】
上記通信システムは、第三世代通信ネットワークである請求項１ないし２１のいずれかに記載の方法。
【請求項２３】
上記メッセージは、セッション開始プロトコル「通知」メッセージである請求項２２に記載の方法。
【請求項２４】
少なくとも１人のユーザ及び制御エンティティを備えた通信システムにおいて、上記ユーザは、使用中に制御エンティティに登録されるように構成され、上記通信は、通信ネットワークへのユーザの再登録を要求しているメッセージを通信システムからユーザへ送信するように構成され、上記ユーザは、上記メッセージに応答して上記ネットワークに再登録されるように構成された通信システム。
【請求項２５】
上記ユーザは、移動ユーザ装置を含む請求項２４に記載の通信システム。
【請求項２６】
上記制御エンティティは、上記メッセージを送信するように構成される請求項２４又は２５に記載のシステム。
【請求項２７】
上記メッセージは、１つ以上の特定の状態の発生に応答して送信される請求項２４、２５又は２６に記載のシステム。
【請求項２８】
上記特定の状態は、次の状態、即ちユーザの現在登録が所定時間内に終了する；システムにおける１つ以上のエラー状態；制御エンティティにおける１つ以上のエラー状態；及びシステムがユーザに不審を抱く；の１つ以上より成る請求項２７に記載のシステム。
【請求項２９】
上記制御エンティティのエラー状態は、次の状態、即ち上記システムにおける混雑；上記システムにおける過負荷；の１つ以上より成る請求項２８に記載のシステム。
【請求項３０】
上記ユーザは、再登録されたときに再認証される請求項２４ないし２９のいずれかに記載のシステム。
【請求項３１】
上記ユーザは、上記メッセージを供給するサービスに契約した場合だけ上記メッセージが送信される請求項２４ないし３０のいずれかに記載のシステム。
【請求項３２】
上記メッセージは、上記制御エンティティから中間の制御エンティティを経て上記ユーザへ送信される請求項２４ないし３１のいずれかに記載のシステム。
【請求項３３】
上記中間の制御エンティティは、プロキシーコール状態制御ファンクションである請求項３２に記載のシステム。
【請求項３４】
上記制御エンティティは、サービングコール状態制御ファンクションである請求項２４ないし３３のいずれかに記載のシステム。
【請求項３５】
上記ユーザは、上記メッセージに応答して再登録要求を送信するように構成された請求項２４ないし３４のいずれかに記載のシステム。
【請求項３６】
上記通信システムは、第三世代ネットワークである請求項２４ないし３５のいずれかに記載のシステム。
【請求項３７】
上記メッセージは、セッション開始プロトコルＳＩＰ「通知」メッセージである請求項３６に記載のシステム。
【発明の詳細な説明】
【技術分野】
【０００１】
本発明は、通信システムに係り、より詳細には、ユーザが登録され及び／又は認証されるように構成された通信システムに係るが、これに限定されない。
【背景技術】
【０００２】
通信システムは、ユーザ装置及び／又はシステムに関連した他のノードのような２つ以上のエンティティ間で通信を行えるようにするファシリティとして考えることができる。通信は、例えば、音声、データ、マルチメディア等の通信より成る。
【０００３】
通信システムは、通常、システムの種々の要素が何をすることが許されそしてそれをいかに達成すべきかを規定する所与の規格及び仕様に基づいて動作する。例えば、規格又は仕様は、ユーザ、或いはより詳細には、ユーザ装置又はターミナルに回路交換サービスが提供されるか及び／又はパケット交換サービスが提供されるか規定する。接続に使用されるべき通信プロトコル及び／又はパラメータも規定される。換言すれば、システムによる通信を可能とするために通信の基礎となる特定の１組の「ルール」を規定することが必要とされる。
【０００４】
ユーザターミナル又は他のノードに対してワイヤレス通信を与える通信システムが知られている。ワイヤレスシステムの一例は、セルラーネットワークである。セルラーシステムでは、ベーストランシーバステーション（ＢＴＳ）又は同様のアクセスエンティティが、移動ステーション（ＭＳ）又は同様のユーザ装置（ＵＥ）に、それらエンティティ間のワイヤレスインターフェイスを経てサービスする。通信に必要な装置の動作は、１つ又は多数の制御エンティティにより制御することができる。種々の制御エンティティは、相互接続することができる。セルラーネットワークを、別のセルラーシステムのような他のネットワークに接続するか、或いは公衆交換電話ネットワーク（ＰＳＴＮ）及び／又は他の通信ネットワーク、例えば、ＩＰ（インターネットプロトコル）及び／又は他のパケット交換ネットワークに接続するために、１つ以上のゲートウェイノードを設けることもできる。ユーザ装置と通信ネットワークの要素との間の通信は、セッション開始プロトコル（ＳＩＰ）のような適当な通信プロトコルに基づくことができる。
【０００５】
例えば、現在の第三世代（３Ｇ）マルチメディアネットワークアーキテクチャーでは、異なるファンクションを取り扱うために種々のサービスが利用されると仮定する。これらは、コール状態制御ファンクション（ＣＳＣＦ）のようなファンクションを含む。コール状態制御ファンクションエンティティは、プロキシーコール状態制御（Ｐ−ＣＳＣＦ）、質問コール状態制御（Ｉ−ＣＳＣＦ）及びサービングコール状態制御（Ｓ−ＣＳＣＦ）のようなファンクションを与える。サービングコール状態制御ファンクションは、セッションの発信端及び着信端において、各々、発信コール状態制御ファンクション（Ｏ−ＣＳＣＦ）と着信コール状態制御ファンクション（Ｔ−ＣＳＣＦ）との間で更に分割することができる。又、制御ファンクションは、ホーム加入者サーバー（ＨＳＳ）及び種々のアプリケーションサーバーのようなエンティティにより与えることもできる。
【０００６】
上述した制御エンティティから、ホーム加入者サーバー（ＨＳＳ）は、加入者関連情報を記憶する。加入者情報は、加入者又はターミナルの登録認識（ＩＤ）等のデータを含んでもよい。ホーム加入者サーバー（ＨＳＳ）は、例えば、登録及びセッション設定手順の間に他のファンクションエンティティにより問合せすることができる。「セッション」という語は、ユーザが行う通信、例えば、コール、データ（例えば、ウェブブラウジング）又はマルチメディア通信等を指すことが明らかであろう。
【０００７】
通信システムのアクセスエンティティと通信するユーザは、Ｓ−ＣＳＣＦのようなサービング制御エンティティに登録されてもよい。登録の進行中に、種々の認証問合せ又はメッセージ及び認証パラメータ、例えば、認証クインテット及び／又はキーに基づくものが、プロセスに含まれるエンティティ間に転送される。ユーザは、同時に２つ以上の登録をもつことができる。登録は、通信システムを経て通信するために必要とされる。
【０００８】
登録手順の間に、公衆ＩＤのようなユーザ識別子が制御エンティティに対して与えられる。公衆ＩＤは、通信システムのユーザの識別子であり、そしてその基本的なファンクションは、既知の電話システムの電話番号に対応する。３Ｇ電話は、２つ以上の識別子を有してもよい（例えば、電話番号、１つ以上のｅ−メール状のアドレス、例えば、セッション開始プロトコル（ＳＩＰ）、ユニバーサルリソースロケータ（ＵＲＬ）、別の通信手段に対するアドレス（１つ又は複数）、等々）。
公衆ＩＤは、それが登録されると、Ｐ−ＣＳＣＦ及びＳ−ＣＳＣＦの両方に記憶される。記憶された公衆ＩＤには、期限タイマーが関連される。この期限タイマーは、これが時間切れしたときに、その特定公衆ＩＤの登録が無効となるように機能する。
【０００９】
第三世代の規格により現在提案されているＩＰマルチメディアサブシステムＩＭＳにおいては、加入者が登録時に認証され、そして加入者が再登録される場合には再認証することができる。しかしながら、本発明者は、加入者の再登録及び／又は再認証を必要とする事象がネットワークにおいて時々発生することが分かった。例えば、加入者をネットワークに登録することのできる時間の長さには、時間限界がある。加入者は、時間内に再登録しない場合には、登録解除される。これは、例えば、次の結果を招く：即ち、進行中のコールをドロップしなければならず且つ加入者が使用できない状態となり；ネットワークが加入者を疑い（例えば、加入者が非常に長いコールを行う）そしてそのコール中にユーザを再認証することになり；そしてＳ−ＣＳＣＦにエラー状態が生じ（例えば、混雑、過負荷、等々）そしてＳ−ＣＳＣＦは、ユーザが別のＳ−ＣＳＣＦを使用するよう強制する。
【発明の開示】
【発明が解決しようとする課題】
【００１０】
ユーザは、周期的な再登録メッセージをネットワークへ送信しなければならないことが示唆されている。これは、再認証も行うことを許す。これは、ネットワークがユーザを疑ったときに生じる問題を取り扱うものではない。ネットワークは、次の再登録メッセージを待機しなければならない。又、Ｓ−ＣＳＣＦに変更が必要とされる場合にも、ネットワークは、次の再登録メッセージを待機しなければならない。再登録メッセージがあまり頻繁である場合には、ネットワークリソースが不必要に使用されることになる。
【００１１】
又、セッション開始プロトコルＳＩＰは、加入者が新たなＳＩＰ要求（例えば、「インバイト(INVITE)」を送信したときに加入者の認証又は再認証を許すことも提案されている。しかしながら、「インバイト」が受け取られたときに認証を強制することは、セッション設定時間を受け入れられないほど増加する。
加入者は、再登録することができる。通知の契約がなされている場合には、それに関する通知が加入者へ送信される。この通知を受信すると、ユーザは、再登録することができる。これは、進行中のコールがドロップされるという欠点がある。
インターネットプロトコル（ＩＰ）ベースの第三世代（３Ｇ）通信システム及びセッション開始プロトコル（ＳＩＰ）を参照して登録の実行及びそれに関連した問題を上述したが、他のシステムにも同様の欠点があり、従って、上記説明は、これらの例に限定されないことが明らかである。
【課題を解決するための手段】
【００１２】
本発明の実施形態は、上記問題の１つ以上に対処することに向けられる。
本発明の第１の態様によれば、ユーザが制御エンティティに登録されるように構成された通信システムにおける方法であって、通信ネットワークへのユーザの再登録を要求しているメッセージを通信システムからユーザへ送信し、そしてこのメッセージに応答して上記ユーザを上記ネットワークに再登録させるという段階を備えた方法が提供される。
【００１３】
本発明の第２の態様によれば、ユーザが制御エンティティに登録されるように構成された通信システムにおける方法であって、通信ネットワークへのユーザの再登録を要求しているメッセージを通信システムからユーザへ送信し、そしてこのメッセージに応答して上記ユーザを上記ネットワークに再登録させ、この再登録手順で上記ユーザを認証するという段階を備えた方法が提供される。
【００１４】
本発明の第３の態様によれば、ユーザが制御エンティティに登録されるように構成された通信システムにおける方法であって、通信ネットワークとの手順を開始することを要求しているメッセージを通信システムからユーザへ送信し、上記手順は、上記ユーザの再認証を生じさせ、上記メッセージに応答して上記ユーザに上記手順を開始させ、そして上記ユーザを再認証させるという段階を備えた方法が提供される。
【００１５】
本発明の第４の態様によれば、少なくとも１人のユーザ及び制御エンティティを備えた通信システムにおいて、上記ユーザは、使用中に制御エンティティに登録されるように構成され、上記通信は、通信ネットワークへのユーザの再登録を要求しているメッセージを通信システムからユーザへ送信するように構成され、上記ユーザは、上記メッセージに応答して上記ネットワークに再登録されるように構成された通信システムが提供される。
【発明を実施するための最良の形態】
【００１６】
本発明を良く理解するために、添付図面を参照して本発明を一例として詳細に説明する。
先ず、本発明を実施できる考えられるネットワークアーキテクチャーを示す図１について説明する。ここに例示するネットワークシステム１０は、ＵＭＴＳの３Ｇ仕様に基づいて構成される。このセルラーシステム１０は、無線アクセスネットワーク（ＲＡＮ）２とコアネットワーク（ＣＮ）との間で分割される。
【００１７】
一般的に述べると、システムのファンクションが多数のハイアラーキー構成のファンクション層に分割されたモデルとして通信システムを説明することができる。図１は、３つの異なるファンクション層、即ちサービス層、アプリケーション層及び搬送層と、これら層に対する種々のネットワーク要素の配置とを示す。この積層モデルは、データ通信システムの種々のファンクション間の関係を説明するために示されたに過ぎないことが明らかであろう。物理的な即ち実際の構成では、エンティティ（例えば、サーバー又は他のノード）は、通常、積層式に構成されない。
【００１８】
複数のユーザ装置１が、３Ｇ無線アクセスネットワーク（ＲＡＮ）２によりワイヤレスインターフェイスを経てサービスされる。ユーザ装置は、アクセスエンティティに対して移動することができ、従って、移動ステーションという語で呼ばれる。無線アクセスネットワークのファンクションは、搬送層にハイアラーキー式に配置される。図１は、明瞭化のために１つの無線アクセスネットワークしか示していないが、典型的な通信ネットワークシステムは、多数の無線アクセスネットワークを備えていることが明らかであろう。
【００１９】
３Ｇ無線アクセスネットワーク（ＲＡＮ）２は、サービング汎用パケット無線サービスサポートノード（ＳＧＳＮ）エンティティ３に物理的に接続されて示されている。ＳＧＳＮ３は、コアネットワークの一部分である。機能的モデルでは、エンティティ３は、搬送層に属する。典型的なセルラーネットワーク及びその種々の搬送レベルエンティティのオペレーションは、当業者に知られており、従って、ここでは詳細に説明しない。
【００２０】
アプリケーション層２０は、搬送層の上に配置されて示されている。アプリケーション層２０は、多数のアプリケーションレベルファンクションを含む。図１は、２つのコール状態制御エンティティ（ＣＳＣＦ）２２及び２３を示している。ユーザ装置の所与の１つに対して、これらコール状態サーバー２２の１つは、ユーザ装置１が登録されるいわゆるサービングコール状態制御ファンクション（Ｓ−ＣＳＣＦ）である。即ち、サーバー２２は、上記ユーザ装置１に現在サービスしており、ユーザ装置の状態を制御していない。
【００２１】
又、アプリケーション層は、ホーム加入者サーバー（ＨＳＳ）エンティティ２４を含むように示されている。このホーム加入者サーバー（ＨＳＳ）２４は、登録識別子（ＩＤ）、それらの状態（Ｓ−ＣＳＣＦ１に現在登録されているか又は現在登録されていない）、及び同様のユーザ関連情報のようなデータを記憶するためのものである。
完全性のために、種々のゲートウェイエンティティのような幾つかの他の要素（例えば、メディアゲートウェイ制御ファンクションＭＧＣＦ、メディアゲートウェイＭＧＷ及びシグナリングゲートウェイＳＧＷ）も示されている。しかしながら、これらは、本発明の重要な部分を形成せず、従って、ここでは詳細に説明しない。
【００２２】
実線は、種々のエンティティ間の実際のデータ通信を示す。破線は、種々のエンティティ間のシグナリングトラフィックを示す。シグナリングは、通常、登録、セッション設定、課金等々の管理及び／又は制御ファンクションのために必要とされる。明らかなように、ユーザ装置１は、アクセスネットワーク２及び適当なゲートウェイを経てネットワーク４、５及び６のような種々の他のネットワークと通信することができる。他のネットワークは、ネットワーク１０と同じ規格又は他の適当な規格に基づいて動作するように構成される。
【００２３】
図２は、サービング制御エンティティ２２を詳細に示す。プロキシーＣＳＣＦ３０及び質問ＣＳＣＦ３１のような更に別の制御エンティティも示されている。ＨＳＳも示されている。
登録手順において、ユーザ装置１は、登録要求をプロキシーサーバーエンティティ３０へ送信する。この登録要求は、質問サーバーエンティティ３１へ転送される。次いで、適当な問合せ手順が質問サーバーエンティティ３１と加入者情報データベースＨＳＳ２４との間で行われる。次いで、質問サーバーは、サービング制御エンティティ２２から登録を要求する。その要求に関連した公衆識別子がサービング制御エンティティ２２に登録される。次いで、確認メッセージが適当なやり方でシグナリングされる。認証も行われる。
【００２４】
本発明の実施形態は、ネットワーク側（即ちＩＰマルチメディアサブシステム（ＩＭＳ）のユーザ装置ではない）でＩＭＳ加入者（即ちユーザ装置）の再登録をトリガーすることができる。
Ｓ−ＣＳＣＦによりＩＭＳ加入者（即ちユーザ装置）の再登録をトリガーする方法を、図３を参照して以下に説明する。
【００２５】
加入者の再登録及び／又は再認証を必要とする「事象１」がネットワークに生じる。この事象は、次のうちの１つ以上である：即ち、現在登録が終了する；ネットワークがユーザに疑いをもつ（例えば、コールが非常に長い、使用パターンの変化、又は他の何らかの理由で）；又はＳ−ＣＳＣＦにエラー状態が生じる（例えば、現在のＳ−ＣＳＣＦに混雑が生じるか、過負荷状態になる等々）；及びＳ−ＣＳＣＦが、ユーザが別のＳ−ＣＳＣＦを使用するように強制する。本発明の別の実施形態では他の事象が再登録又は再認証を必要とすることが明らかである。
【００２６】
この事象に応答して、Ｓ−ＣＳＣＦは、ステップ２で、「通知(NOTIFY)」要求をプロキシーＣＳＣＦ３０へ送信する。この「通知」メッセージは、ユーザ装置がこのサービスに前もって契約してある場合だけユーザ装置へ送信される。本発明の別の実施形態では、ユーザ装置がこのサービスに契約する必要がない。この「通知」要求は、事象に関する非同期通知を含むメッセージである。
【００２７】
Ｓ−ＣＳＣＦ２２によりＰ−ＣＳＣＦへ送信された要求において、事象ヘッダは、３ＧＰＰ準拠ユーザ装置１において再登録をトリガーする事象を含む。事象の名前は、「ｏｒｇ．３ｇｐｐ．ｒｅｇｉｎｉｔ」又は他の適当な名前でよい。「通知」メッセージは、通知を生じた事象の標準化された名前を含む。ＩＡＮＡ（インターネット・アサインド・ナンバー・オーソリティ）は、事象の名前を登録する標準化団体である。名前は、別の標準化団体に登録されてもよい。本発明の別の実施形態では、名前は、標準化団体に登録されず、例えば、特定のサービスプロバイダー等に特有のものである。
【００２８】
この要求を受け取ると、Ｐ−ＣＳＣＦ３０は、ステップ３において、１００試み(Trying)メッセージを送信する。このメッセージは、Ｐ−ＣＳＣＦ３０がメッセージを受け取りそしてＵＥ１へメッセージを転送しようと試みることをＳ−ＣＳＣＦ２２に通知する。
Ｐ−ＣＳＣＦ３０は、ステップ４において、ユーザ装置１へ「通知」要求を転送する。
ステップ５では、ユーザ装置１（ＵＥ）は、要求が受け入れられたことをＰ−ＣＳＣＦ３０に応答する。
ステップ６では、Ｐ−ＣＳＣＦ３０は、その応答をＳ−ＣＳＣＦ２２へ転送する。
【００２９】
最終的に、ユーザ装置は、ステップ７において、通常の再登録手順をスタートする。この再登録手順は、第三世代規格の現在バージョンに規定されている。この再登録手順では、ユーザ装置の再認証が実行される。
この実施形態では、１つのユーザ装置は、ネットワークによりオファーされるサービスを利用するために又は利用し続けるために再登録が必要であると通知される。この同じ方法を使用してユーザ装置のグループを強制的に再登録することも考えられる。
【００３０】
以上に述べた本発明の実施形態の効果は、既存のセッションがドロップされないことである。というのは、ネットワークは、ネットワークによりオファーされるサービスを利用するために又は利用し続けるために再登録が必要であることをユーザ装置に通知できるからである。本発明の実施形態を使用すると、ネットワークは、コール進行中に加入者を認証することができ、コールを受信する前に加入者を認証することができ、等々である。加入者は、コール中に認証することができる。ネットワークは、加入者の登録が無効になった場合に既存のセッションをドロップしなくてもよく、再登録を最初にトリガーし、再認証を必要とする手順をトリガーするよう試みることができる。加入者は、コールを中断せずに、新たなＳ−ＣＳＣＦに登録することができる。これは、図３を参照して述べたように、ユーザ装置が再登録メッセージを送信するようにさせることで実行できる。登録手順の間に、Ｉ−ＣＳＣＦ３１は、新たなＳ−ＣＳＣＦを選択することができる。このように、アクティブなセッションをもたない加入者にとって全ネットワークの問題は見えない。機能不良のユーザ装置は、期限タイマーが時間切れする前に再登録メッセージを送信することをリマインドできる。
【００３１】
ここに述べる実施形態では、加入者の再登録をトリガーすることは、第三世代規格に規定された既存の「通知」方法を使用することにより実行される。このトリガー動作を生じさせるために新たな事象名を定義しなければならない。好ましい実施形態では、この名前は「ｏｒｇ．３ｇｐｐ．ｒｅｇｉｎｉｔ」であるが、他の適当な名前を使用してもよい。
【００３２】
再登録を要求する通知を得るために、ユーザ装置は、登録メッセージに適当なヘッダを挿入することにより登録時におけるこの形式の通知に契約しなければならない。ユーザ装置がこの事象に契約しない場合には、期限タイマーが時間切れする直前に、機能不良のユーザ装置は、再登録メッセージを送信することがリマインドされない。その結果、ユーザは、ネットワークから登録解除され、進行中セッションをドロップすることになる。このサービスに加入しないと、ネットワークが疑いをもったときに、ユーザは、ネットワークから単に登録解除される。Ｓ−ＣＳＣＦにエラー状態が生じた場合にドロップするような進行中セッションがある場合には、ユーザが登録解除され、おそらく、そのアクションについて通知される。考えられる進行中セッションがドロップされる。
【００３３】
上述した状態においてユーザがこの新規な事象に契約している場合には全てのコールドロップを回避することができる。本発明の別の実施形態では、ユーザ装置は、これがサービスに契約する必要なく、図３に示すように、再登録するよう制御することができる。従って、常時サービスを利用することができる。
ＩＭＳでは、加入者は、登録時に認証され、そして再登録時に再認証される。加入者の再登録及び／又は再認証を要求するネットワークでは幾つかの事象が生じることが考えられる。
【００３４】
移動ステーションのようなユーザ装置に関連して本発明の実施形態を説明したが、本発明の実施形態は、他の適当な形式のユーザ装置にも適用できることが明らかであろう。
本発明の実施形態は、コール状態制御ファンクションエンティティを参照して説明した。本発明の実施形態は、適宜に他のネットワーク要素にも適用することができる。
【００３５】
本発明の実施形態は、ユニバーサル移動テレコミュニケーションシステム（ＵＭＴＳ）３Ｇシステムに関して説明した。又、本発明は、他の通信システム及びプロトコルにも適用することができる。他のシステムは、例えば、汎用パケット無線サービス（ＧＰＲＳ）、エンハンスト・データレート・フォー・ＧＳＭエボリューション（ＥＤＧＥ）移動データネットワーク、他の第三世代（３Ｇ）テレコミュニケーションシステム、例えば、ｉ−フォン又はＩＭＴ−２０００（インターナショナル・モービル・コミュニケーションズ）、及び地上トランク無線（ＴＥＴＲＡ）システムを含むが、これらに限定されない。
【００３６】
以上、本発明の実施形態を例示したが、特許請求の範囲に規定された本発明の範囲から逸脱せずに多数の変更や修正がなされ得ることが明らかであろう。
【図面の簡単な説明】
【００３７】
【図１】本発明を実施できる通信システムアーキテクチャーを示す図である。
【図２】一実施形態を示す図である。
【図３】本発明の実施形態に基づく情報の流れを示す図である。
【図１】
2004533165.tif 000003
【図３】
2004533165.tif 000004
【国際公開パンフレット】
2004533165.tif 000005
2004533165.tif 000006
2004533165.tif 000007
2004533165.tif 000008
2004533165.tif 000009
2004533165.tif 000010
2004533165.tif 000011
2004533165.tif 000012
2004533165.tif 000013
2004533165.tif 000014
2004533165.tif 000015
2004533165.tif 000016
2004533165.tif 000017
2004533165.tif 000018
2004533165.tif 000019
2004533165.tif 000020
2004533165.tif 000021
2004533165.tif 000022
2004533165.tif 000023
2004533165.tif 000024
【手続補正書】
【提出日】平成14年5月10日(2002.5.10)
【手続補正１】
【補正対象書類名】特許請求の範囲
【補正対象項目名】全文
【補正方法】変更
【補正の内容】
【特許請求の範囲】
【請求項１】
ユーザが制御エンティティに登録されるように構成された通信システムにおける方法であって、
通信ネットワークへのユーザの再登録を要求しているメッセージを通信システムからユーザへ送信し、そして
上記メッセージに応答して上記ユーザを上記ネットワークに再登録させ、上記ユーザが再登録されたときに上記ユーザを再認証する
という段階を備えた方法。
【請求項２】
上記制御エンティティは、上記メッセージを送信するように構成された請求項１に記載の方法。
【請求項３】
上記メッセージは、１つ以上の特定の状態の発生に応答して送信される請求項１又は２に記載の方法。
【請求項４】
上記特定の状態は、次の状態、即ちユーザの現在登録が所定時間内に終了する；システムにおける１つ以上のエラー状態；制御エンティティにおける１つ以上のエラー状態；及びシステムがユーザに不審を抱く；の１つ以上より成る請求項３に記載の方法。
【請求項５】
上記制御エンティティのエラー状態は、次の状態、即ち上記システムにおける混雑；上記システムにおける過負荷；の１つ以上より成る請求項４に記載の方法。
【請求項６】
上記ユーザは、上記メッセージを供給するサービスに契約した場合だけ上記メッセージが送信される請求項１ないし５のいずれかに記載の方法。
【請求項７】
上記メッセージは、上記制御エンティティから中間の制御エンティティを経て上記ユーザへ送信される請求項１ないし６のいずれかに記載の方法。
【請求項８】
上記中間の制御エンティティは、プロキシーコール状態制御ファンクションである請求項７に記載の方法。
【請求項９】
上記制御エンティティは、サービングコール状態制御ファンクションである請求項１ないし８のいずれかに記載の方法。
【請求項１０】
上記ユーザは、上記メッセージに応答して再登録要求を送信するように構成される請求項１ないし９のいずれかに記載の方法。
【請求項１１】
ユーザが制御エンティティに登録されるように構成された通信システムにおける方法であって、
通信ネットワークとの手順を開始することを要求しているユーザに通信システムからメッセージを送信し、上記手順は、上記ユーザの再認証を生じさせ、
上記メッセージに応答して上記ユーザに上記手順を開始させ、そして
上記ユーザを再認証させる、
という段階を備えた方法。
【請求項１２】
上記制御エンティティは、上記メッセージを送信するように構成される請求項１１に記載の方法。
【請求項１３】
上記メッセージは、１つ以上の特定の状態の発生に応答して送信される請求項１１又は１２に記載の方法。
【請求項１４】
上記特定の状態は、次の状態、即ちユーザの現在登録が所定時間内に終了する；システムにおける１つ以上のエラー状態；制御エンティティにおける１つ以上のエラー状態；及びシステムがユーザに不審を抱く；の１つ以上より成る請求項１３に記載の方法。
【請求項１５】
上記制御エンティティのエラー状態は、次の状態、即ち上記システムにおける混雑；上記システムにおける過負荷；の１つ以上より成る請求項１４に記載の方法。
【請求項１６】
上記ユーザは、上記メッセージを供給するサービスに契約した場合だけ上記メッセージが送信される請求項１１ないし１５のいずれかに記載の方法。
【請求項１７】
上記メッセージは、上記制御エンティティから中間の制御エンティティを経て上記ユーザへ送信される請求項１１ないし１６のいずれかに記載の方法。
【請求項１８】
上記中間の制御エンティティは、プロキシーコール状態制御ファンクションである請求項１７に記載の方法。
【請求項１９】
上記制御エンティティは、サービングコール状態制御ファンクションである請求項１１ないし１８のいずれかに記載の方法。
【請求項２０】
上記通信システムは、第三世代通信ネットワークである請求項１ないし１９のいずれかに記載の方法。
【請求項２１】
上記メッセージは、セッション開始プロトコル「通知」メッセージである請求項２０に記載の方法。
【請求項２２】
少なくとも１人のユーザ及び制御エンティティを備えた通信システムにおいて、上記ユーザは、使用中に制御エンティティに登録されるように構成され、上記通信は、通信ネットワークへのユーザの再登録を要求しているメッセージを通信システムからユーザへ送信するように構成され、上記ユーザは、上記メッセージに応答して上記ネットワークに再登録され、上記ユーザが再登録されるときに上記ユーザが再認証されるように構成された通信システム。
【請求項２３】
上記ユーザは、移動ユーザ装置を含む請求項２２に記載の通信システム。
【請求項２４】
上記制御エンティティは、上記メッセージを送信するように構成される請求項２２又は２３に記載のシステム。
【請求項２５】
上記メッセージは、１つ以上の特定の状態の発生に応答して送信される請求項２２、２３又は２４に記載のシステム。
【請求項２６】
上記特定の状態は、次の状態、即ちユーザの現在登録が所定時間内に終了する；システムにおける１つ以上のエラー状態；制御エンティティにおける１つ以上のエラー状態；及びシステムがユーザに不審を抱く；の１つ以上より成る請求項２５に記載のシステム。
【請求項２７】
上記制御エンティティのエラー状態は、次の状態、即ち上記システムにおける混雑；上記システムにおける過負荷；の１つ以上より成る請求項２６に記載のシステム。
【請求項２８】
上記ユーザは、上記メッセージを供給するサービスに契約した場合だけ上記メッセージが送信される請求項２２ないし２７のいずれかに記載のシステム。
【請求項２９】
上記メッセージは、上記制御エンティティから中間の制御エンティティを経て上記ユーザへ送信される請求項２２ないし２８のいずれかに記載のシステム。
【請求項３０】
上記中間の制御エンティティは、プロキシーコール状態制御ファンクションである請求項２９に記載のシステム。
【請求項３１】
上記制御エンティティは、サービングコール状態制御ファンクションである請求項２２ないし３０のいずれかに記載のシステム。
【請求項３２】
上記ユーザは、上記メッセージに応答して再登録要求を送信するように構成された請求項２２ないし３１のいずれかに記載のシステム。
【請求項３３】
上記通信システムは、第三世代ネットワークである請求項２２ないし３２のいずれかに記載のシステム。
【請求項３４】
上記メッセージは、セッション開始プロトコルＳＩＰ「通知」メッセージである請求項３３に記載のシステム。
【国際調査報告】
2004533165.tif 000025
2004533165.tif 000026
2004533165.tif 000027